(57)【要約】【課題】本発明は、フィルタが捕捉した塵埃をフィルタ上から確実に取り除くことができる乾燥機の提供を目的とする。【解決手段】本発明の乾燥機１、被乾燥物７を乾燥処理した後の乾燥風を排気室９に排気し、排気室９内で乾燥風に含まれる塵埃４９を捕捉するリント機構４を備えている。リント機構４は、塵埃４９を捕捉する捕捉面２５を備えたフィルタフレーム２６と、フィルタフレーム２６の捕捉面２５に固定されて乾燥風に含まれる塵埃を捕捉するフィルタ２７と、排気室９内への乾燥風の導入側に設けられてフィルタ２７に捕捉された塵埃４９をフィルタ２７の表面に摺接移動してフィルタ２７の一側へ集めるワイパ機構２８と、フィルタ２７を通過し排気室９内から乾燥風が排出される排気排出側に設けられてフィルタ２７の排気排出側をワイパ機構２８と連動して支持するフィルタ支持機構２９と、で形成されている。【選択図】  図３
2020014549.tif 000002
【特許請求の範囲】
【請求項１】
被乾燥物を乾燥処理した後の乾燥風を排気室内に排気し、前記排気室内で前記乾燥風に含まれる塵埃を捕捉するリント機構を備えた乾燥機であって、
前記リント機構が、前記塵埃を捕捉する捕捉面を備えたフィルタフレームと、
このフィルタフレームの前記捕捉面に固定されて前記乾燥風に含まれる塵埃を捕捉するフィルタと、
前記排気室内への前記乾燥風の導入側に設けられて前記フィルタに捕捉された前記塵埃を前記フィルタの表面を摺接移動してフィルタの一側へ集めるワイパ機構と、
前記フィルタを通過し前記排気室内から前記乾燥風が排出される排気排出側に設けられて前記フィルタの前記排気排出側を前記ワイパ機構と連動して支持するフィルタ支持機構と、
で形成されていることを特徴とする乾燥機。
【請求項２】
前記フィルタフレームが、長尺状で断面が山形形状に形成されて２面の捕捉面を有することを特徴とする請求項１に記載の乾燥機。
【請求項３】
前記フィルタフレームの長手方向の一端であって、前記ワイパ機構により前記塵埃が集められる端部に２面の補助捕捉面を有することを特徴とする請求項２に記載の乾燥機。
【請求項４】
前記ワイパ機構は、前記乾燥風の導入側に設けられて前記フィルタに摺接するワイパブレードと、
このワイパブレードを前記フィルタフレームの長手方向の一側に移動させるワイパ駆動部と、からなることを特徴とする請求項１から請求項３のいずれか１項に記載の乾燥機。
【請求項５】
前記フィルタ支持機構は、前記乾燥風の排出側に設けられて前記フィルタの排出側を支持する支持板部と、
この支持板部を、前記ワイパ機構と連動してフィルタの前記排出側を支持する駆動部と、からなることを特徴とする請求項１から請求項４のいずれか一項に記載の乾燥機。
【請求項６】
前記フィルタフレームの長手方向の一側であって、前記ワイパ機構により前記塵埃が集められる端部に、前記ワイパ機構により集められた前記塵埃が蓄積される塵埃蓄積部が形成されていることを特徴とする請求項１から請求項５のいずれか一項に記載の乾燥機。
【発明の詳細な説明】
【技術分野】
【０００１】
本発明は、シーツ、枕カバー、タオル等のリネン製品やモップ、マット等の洗濯した洗濯物を乾燥風で乾燥させる乾燥機に関し、洗濯物を乾燥した後の乾燥風に含まれる洗濯物から分離した塵埃を乾燥風から除去するリント機構を備えた乾燥機に関する。
【背景技術】
【０００２】
シーツ、枕カバー、タオル等のリネン製品やモップ、マット等の洗濯した洗濯物を乾燥させる乾燥機が、特許文献１で提案されている。特許文献１に記載されている乾燥機は、乾燥機筐体内に設けられた外胴部と、この外胴部内に回転自在に支持され洗濯物が投入される内胴体（回転ドラム）とを備えている。また、内胴体を外胴部内で回転駆動させる回転駆動機構と、外気を取り込んで加熱した乾燥風を外胴部内に供給するとともに外胴部内の乾燥風を外方に排出する乾燥風供給・排出部とを備えている。
【０００３】
そして、内胴体内に洗濯物を投入し、内胴体を外胴部内で回転させながら、乾燥風を外胴部内に供給し、内胴体の外周に設けられたメッシュ状の孔、あるいは複数のパンチ穴から乾燥風を内部に導入し、洗濯物に吹き付けることにより洗濯物の水分を無くすことで洗濯物を乾燥させる。回転する内胴体内で洗濯物に吹き付けられる乾燥風は、取り込んだ外気とヒータとの熱交換により外気が加熱されて生成される。
【０００４】
洗濯物を乾燥させた後の乾燥風には、洗濯物から分離したリント（糸くず）等の塵埃が含まれている。この塵埃を乾燥風から除去するために、フィルタを用いて塵埃を捕捉する乾燥機が特許文献２で提案されている。特許文献２に記載されている乾燥機では、乾燥風の流通経路の途中にフィルタを設けて塵埃を捕捉している。また、特許文献２に記載されている乾燥機は、捕捉した塵埃がフィルタに溜まると乾燥風の流れが悪くなることから、清掃体（ワイパー機構）をフィルタ上で移動させて、フィルタの表面に付着している塵埃を取り除くことが記載されている。
【先行技術文献】
【特許文献】
【０００５】
【特許文献１】特開２００７−６１４１０号公報
【特許文献２】特開２０１８−５８００６号公報
【発明の概要】
【発明が解決しようとする課題】
【０００６】
しかしながら、軟らかいシート状のフィルタの表面上の塵埃を清掃体（ワイパー機構）によって取り除く際、フィルタが撓んでいる場合が多く、フィルタの凹んでいる場所の塵埃を清掃体によって取り除くことが出来ない。このため、フィルタから塵埃を確実に取り除くことができないという問題を有している。
【０００７】
また、フィルタがフレーム等に固定されていない場合、清掃体をフィルタの表面上で移動させてもフィルタと清掃体との間に隙間が出来てしまい、捕捉した塵埃を確実に取り除くことができない。
【０００８】
そこで、本発明は、フィルタが捕捉した塵埃をフィルタ上から確実に取り除くことができる乾燥機の提供を目的とする。
【課題を解決するための手段】
【０００９】
上記課題を解決するための本発明の一態様は、被乾燥物を乾燥処理した後の乾燥風を排気室内に排気し、前記排気室内で前記乾燥風に含まれる塵埃を捕捉するリント機構を備えた乾燥機であって、前記リント機構が、前記塵埃を捕捉する捕捉面を備えたフィルタフレームと、このフィルタフレームの前記捕捉面に固定されて前記乾燥風に含まれる塵埃を捕捉するフィルタと、前記排気室内への前記乾燥風の導入側に設けられて前記フィルタに捕捉された前記塵埃を前記フィルタの表面を摺接移動してフィルタの一側へ集めるワイパー機構と、前記フィルタを通過し前記排気室内から前記乾燥風が排出される排気排出側に設けられて前記フィルタの前記排気排出側を前記ワイパー機構と連動して支持するフィルタ支持機構と、で形成されていることを特徴とする。
【００１０】
また、本発明の一態様は、前記フィルタフレームが、長尺状で断面が山形形状に形成されて２面の捕捉面を有することを特徴とする。
【００１１】
また、本発明の一態様は、前記フィルタフレームの長手方向の一端であって、前記ワイパー機構により前記塵埃が集められる端部に２面の捕捉面を有することを特徴とする。
【００１２】
また、本発明の一態様は、前記ワイパー機構は、前記乾燥風の導入側に設けられて前記フィルタに摺接するワイパーブレードと、このワイパーブレードを前記フィルタフレームの長手方向の一側に移動させるワイパー駆動部と、からなることを特徴とする。
【００１３】
また、本発明の一態様は、前記フィルタ支持機構は、前記乾燥風の排出側に設けられて前記フィルタの排出側を支持する支持板部と、この支持板を前記ワイパー機構と連動してフィルタの前記排出側を支持する駆動部と、からなることを特徴とする。
【００１４】
また、本発明の一態様は、前記フィルタフレームの長手方向の一側であって、前記ワイパー機構により前記塵埃が集められる端部に、前記ワイパー機構により集められた前記塵埃が蓄積される塵埃蓄積部が形成されていることを特徴とする。
【発明の効果】
【００１５】
本発明によれば、フィルタ支持機構によってフィルタの排気排出側が支持されているので、ワイパー機構によってフィルタ上の塵埃をフィルタの一側へ集める際に、フィルタが撓むことがない。また、フィルタはフィルタフレームの捕捉面に固定されているので、フィルタに凹み等の発生がない。これにより、フィルタが捕捉した塵埃をワイパー機構によりフィルタ上から確実に取り除くことができる。
【図面の簡単な説明】
【００１６】
【図１】本発明の実施の形態に係る乾燥機の概略構成を示す斜視図。
【図２】本発明の実施の形態に係る乾燥機を示し、図１のII-II線に沿って切断した断面図。
【図３】本発明の実施の形態に係る乾燥機に備えられたリント機構を示す斜視図。
【図４】本発明の実施の形態に係る乾燥機に備えられたリント機構を示す正面図。
【図５】本発明の実施の形態に係る乾燥機に備えられたリント機構の内部のフィルタ支持機構を示す正面図。
【発明を実施するための形態】
【００１７】
以下、本発明に係る乾燥機の実施の形態について詳細に説明する。本発明に係る乾燥機は、シーツ、枕カバー、タオル等のリネン製品やモップ、マット等の洗濯した洗濯物を乾燥させる乾燥機であり、洗濯物を乾燥した後の乾燥風に含まれる塵埃を除去するリント機構を備えている。以下、実施の形態に係る乾燥機１の詳細について図面を用いて説明する。
【００１８】
［実施例の特徴］
本実施の形態の乾燥機１は、被乾燥物を乾燥処理した後の乾燥風を排気室９内に排気し、排気室９内で乾燥風に含まれる塵埃４９を捕捉するリント機構４を備えている。リント機構４は、塵埃４９を捕捉する捕捉面２５を備えたフィルタフレーム２６と、このフィルタフレーム２６の捕捉面２５に固定されて乾燥風に含まれる塵埃４９を捕捉するフィルタ２７と、排気室９内への乾燥風の導入側に設けられてフィルタ２７に捕捉された塵埃４９をフィルタ２７の表面を摺接移動してフィルタ２７の一側へ集めるワイパ機構２８と、フィルタ２７を通過し排気室９内から乾燥風が排出される排気排出側に設けられてフィルタ２７の排気排出側をワイパ機構２８と連動して支持するフィルタ支持機構２９と、で形成されている。
【００１９】
本実施の形態の乾燥機１は、図１、図２に示すように、乾燥機本体２と、この乾燥機本体２に隣設して設けられた乾燥風供給部３と、乾燥機本体２の下部側に設けられたリント機構４とで概略構成されている。
【００２０】
乾燥機本体２は、筐体５内に固定された外胴体６と、この外胴体６の内部に配置され回転自在に支持されて被乾燥物７が乾燥処理される内胴体８と、外胴体６の下部側に設けられて被乾燥物を乾燥させた後の乾燥風（排気）が排気される排気室９とを備えている。
【００２１】
外胴体６は円筒状で内部が密封されている。この外胴体６には、乾燥風供給部３側に乾燥風が導入される乾燥風導入口１０が設けられ、外胴体６の下部側であって排気室９側に乾燥風排出口１１が設けられている。そして、内胴体８が外胴体６内で回転している状態で乾燥風導入口１０から乾燥風が外胴体６内に導入され、内胴体８内で被乾燥物７を乾燥させた後の乾燥風が乾燥風排出口１１から排気室９内に排出される。
【００２２】
内胴体８は、円筒状で外周に設けられたメッシュ状の孔、あるいは複数のパンチ穴が形成されている。この内胴体８は、外胴体６内で支持ローラ（不図示）に回転自在に支持され、駆動モータ（不図示）の駆動力で回転駆動する。この内胴体８内には、乾燥機本体２に設けた投入口２ａから被乾燥物が投入される。内胴体８内に投入された被乾燥物７は、外胴体６内に導入された乾燥風供給部３からの乾燥風によって乾燥される。
【００２３】
乾燥風供給部３は、図２に示すように、供給部本体１２と、供給部本体１２の下部側に配置されて排気室９から乾燥風を吸い込むブロア１３と、このブロア１３を駆動するモータ１４と、供給部本体１２の上部に設けられてブロア１３によって吸い込まれた乾燥風と外気とを加熱するヒータ１５とで形成されている。
【００２４】
供給部本体１２には、下部側に乾燥風吸込口１６が設けられ、上部側に外方に向けて開口する外気取込口１７が設けられ、上部側に乾燥機本体２側に向けて開口し外胴体６の乾燥風導入口１０と連通する乾燥風供給口１８が設けられている。
【００２５】
そして、ブロア１３によって排気室９内から内胴体８内で被乾燥物７を乾燥処理した後の乾燥風（排気）が供給部本体１２内に吸い込まれ、供給部本体１２内に吸い込まれた乾燥風は供給部本体１２内を上昇し、外気と混合されてヒータ１５によって加熱されて乾燥風が生成される。
【００２６】
生成された乾燥風は、乾燥風供給口１８から外胴体６の乾燥風導入口１０を通って外胴体６内に供給される。外胴体６内に供給された乾燥風は、内胴体８内に投入されている被乾燥物を乾燥処理し、乾燥処理した後に乾燥風排出口１１から排気室９内に排出される。
【００２７】
排気室９は、図４、５に示すように、底板１９と、この底板１９の両側部から立ち上がる側板２０、２０と、外胴体６側の天板２１とで断面が矩形状で、長尺状の箱形状に形成されている。排気室９の長手方向の一側は、乾燥機本体２の一方の側部に面しており、他方の側部は乾燥風供給部３に面している。乾燥機本体２の一方の側部に位置する面には、透明な窓２２ａが設けられた観音扉２２（図１参照）が形成され、乾燥機本体２の他方の側部に位置する面には、乾燥風循環口２３（図５参照）が形成され、天板２１には、外胴体６の乾燥風排出口１１と連通する乾燥風流入口２４が形成されている。この排気室９内に、リント機構４が設けられている。
【００２８】
リント機構４は、図３、４、５に示すように、塵埃４９を捕捉する２つの捕捉面２５、２５を備えたフィルタフレーム２６と、このフィルタフレーム２６の捕捉面２５、２５に固定されて乾燥風に含まれる塵埃４９を捕捉するフィルタ２７、２７と、排気室９内への乾燥風の導入側に設けられてフィルタ２７で捕捉された塵埃４９をフィルタ２７、２７の表面を摺接移動してフィルタ２７の一側へ集めるワイパ機構２８と、フィルタ２７、２７を通過し排気室９内から乾燥風が排出される排気排出側に設けられてフィルタ２７の排気排出側をワイパ機構２８と連動して支持するフィルタ支持機構２９とで形成されている。
【００２９】
フィルタフレーム２６は、排気室９の底板１９の両側部に固定された長尺状の基端フレーム３０、３０と、これらの基端フレーム３０、３０の長手方向の両端から、排気室９の天板２１の中間部に向かってそれぞれ傾斜し天板２１の下部側で山形形状に連結された傾斜フレーム３１、３１と、傾斜フレーム３１、３１間に設けられて、傾斜フレーム３１、３１の連結部同士を連結する上部フレーム３２とで形成されている。
【００３０】
傾斜フレーム３１、３１と、一方の基端フレーム３０と、上部フレーム３２とで囲まれる部分に捕捉面２５が形成され、傾斜フレーム３１、３１と、他方の基端フレーム３０と、上部フレーム３２とで囲まれる部分に捕捉面２５が形成されている。これらの捕捉面２５、２５は、長手方向の約半分の位置に設けられ、排気室９の観音扉２２側に乾燥風が通過するフィルタ２７、２７が設けられており、乾燥風供給部３側は板部２６ａで閉塞されている。
【００３１】
また、フィルタフレーム２６の長手方向の一方であって、排気室９の観音扉２２側の傾斜フレーム３１、３１で囲まれる内部には、上部フレーム３２から底板１９側に向けてかつ排気室９の奥側（乾燥風循環口２３側）に傾斜した補助フレーム３３が形成されている。この補助フレーム３３と傾斜フレーム３１、３１と、底板１９で囲まれる位置に補助捕捉面３４、３４が設けられ、補助フィルタ３５、３５がそれぞれ取り付けられている。さらに、補助フレーム３３と傾斜フレーム３１、３１の基端部分で囲まれる部分に塵埃蓄積部３６が形成されている。そして、ワイパ機構２８によってフィルタフレーム２６の長手方向の一側に集められた塵埃４９が、塵埃蓄積部３６に集められる。
【００３２】
ワイパ機構２８は、フィルタ２７の幅方向、すなわち基端フレーム３０から上部フレーム３２間の幅寸法に設けられたワイパブレード３７と、このワイパブレード３７を板部２６ａで閉塞された位置から観音扉２２側へ向けてフィルタ２７上に摺接させるエアシリンダからなるワイパ駆動部３８とで形成されている。
【００３３】
そして、ワイパ駆動部３８の駆動力でワイパブレード３７がフィルタ２７上を摺接すると、フィルタ２７上に捕捉された塵埃４９が、フィルタフレーム２６の長手方向の一方に集められる。このとき、フィルタ２７の裏面側、すなわち排気排出側の面は、フィルタ支持機構２９によって捕捉面２５、２５が閉塞された状態で支持されている。
【００３４】
フィルタ支持機構２９は、図５に示すように、捕捉面２５，２５の裏面側、すなわち排気排出側に設けられて捕捉面２５、２５を閉塞するとともにフィルタ２７、２７の裏面側を支持する支持板部３９、３９と、これらの支持板部３９、３９を底板１９上でスライド可能に支持する案内機構４０と、支持板部３９、３９をワイパ機構２８、２８と連動してスライドさせる駆動部４１とで形成されている。
【００３５】
支持板部３９、３９は、フィルタ２７、２７の裏面側と略同じ大きさの板部４２、４２と、これらの板部４２、４２とフィルタ２７、２７の裏面側との間に設けられた板状フェルト４３、４３とで形成されている。板部４２、４２は、排気室９の底板１９上に案内機構４０によって支持されている。
【００３６】
案内機構４０は、底板１９上にフィルタフレーム２６の長手方向に沿って設けられた平行な２本のレール４４、４４と、これらのレール４４、４４にそれぞれガイドされるガイドブラケット４５、４５と、これらのガイドブラケット４５、４５を板部４２、４２にそれぞれ連結する連結板４６、４６とで形成されている。そして、ワイパ機構２８、２８と連動する駆動部４１の駆動力で、フィルタフレーム２６の長手方向にスライドする。
【００３７】
駆動部４１は、フィルタフレーム２６の板部２６ａの裏面側に固定されたエアシリンダ４７と、このエアシリンダ４７の駆動軸と板部４２、４２とを連結する連結ブラケット４８とで形成されている。そして、ワイパ機構２８、２８がフィルタフレーム２６の板部２６ａ、２６ａ上に位置しているときは、フィルタ支持機構２９、２９は板部２６ａ、２６ａの裏面側に格納されている。
【００３８】
そして、リント機構４を稼動し、フィルタ２７、２７上の塵埃を除去する場合には、フィルタ支持機構２９を稼動し支持板部３９、３９をフィルタフレーム２６の長手方向の一方、すなわち塵埃蓄積部３６側に移動させる。これにより捕捉面２５、２５の裏面側（フィルタ２７、２７の裏面側）が支持板部３９、３９により閉塞される。捕捉面２５、２５の裏面側が支持板部３９、３９により閉塞されると、乾燥風流入口２４から排気室９内に流入した乾燥風は、フィルタ２７、２７を通過することはなく、補助フィルタ３５、３５を通過する。したがって、フィルタ支持機構２９は、捕捉面２５、２５を閉塞することで、排気室９内に流入した乾燥風の流れを変えるとともに、フィルタ２７、２７の裏面側を支持している。
【００３９】
フィルタ支持機構２９が稼動し、支持板部３９、３９がフィルタフレーム２６の長手方向の一方に移動した状態で、ワイパ機構２８、２８が作動し、ワイパブレード３７、３７がフィルタ２７、２７上をフィルタフレーム２６の長手方向の一側に摺接移動する。このとき、フィルタ２７、２７の裏面側は、フィルタ支持機構２９、２９の支持板部３９、３９により支持されている。
【００４０】
ワイパ機構２８、２８のワイパブレード３７、３７がそれぞれ板部２６ａ、２６ａ上に戻ると、フィルタ支持機構２９の板部４２、４２も板部２６ａ、２６ａの裏面側に戻り、板部２６ａ、２６ａの裏面側に格納される。リント機構４を稼動せず、通常の乾燥処理を行っている場合は、フィルタ支持機構２９は、常に板部２６ａ、２６ａの裏面側に格納されている。
【００４１】
次に乾燥機１を稼動させて被乾燥物７を乾燥させた後の乾燥風に含まれる塵埃４９をリント機構４により取り除く作用について説明する。乾燥風は、内胴体８内で被乾燥物７を乾燥させた後の乾燥風が、外胴体６内からブロア１３によって排気室９に吸い出され、リント機構４を通過した後に供給部本体１２内を通り、供給部本体１２内に取り込まれた外気と混合され、ヒータ１５によって加熱されて生成される。生成された乾燥風は、乾燥風供給口１８から乾燥風導入口１０を通って外胴体６内に供給され、再び内胴体８内で被乾燥物が乾燥される。
【００４２】
内胴体８内の被乾燥物７を乾燥させた後の乾燥風は、外胴体６の乾燥風排出口１１から乾燥風流入口２４を通って排気室９内に流入する。排気室９内に流入した乾燥風は、リント機構４のフィルタ２７、２７を通過し、乾燥風循環口２３から乾燥風吸込口１６を通って供給部本体１２内を上昇する。
【００４３】
乾燥風がフィルタ２７、２７を通過する際に、乾燥風に含まれている塵埃４９がフィルタ２７、２７により捕捉される。被乾燥物７を乾燥させる時間とともに、フィルタ２７、２７に捕捉される塵埃４９の量も増えるので、フィルタ２７、２７を通過する乾燥風の量も減るため外胴体６内への乾燥風も減ることになる。このため、フィルタ２７、２７上の塵埃４９をワイパ機構２８、２８を稼動して取り除く。
【００４４】
ワイパ機構２８、２８によりフィルタ２７、２７上から塵埃４９を除去するには、外胴体６に乾燥風を供給し、内胴体８内で被乾燥物７を乾燥させている状態で、フィルタ支持機構２９を稼動し、支持板部３９、３９を板部２６ａ２６ａの裏面側からフィルタフレーム２６の一方に移動させ、捕捉面２５、２５の裏面側を閉塞する。支持板部３９、３９が捕捉面２５、２５の裏面側を閉塞すると、排気室９内に流入した乾燥風は、フィルタ２７、２７を通過することはなく、補助フィルタ３５、３５を通って乾燥風循環口２３から供給部本体１２内に流れる。
【００４５】
捕捉面２５、２５をフィルタ支持機構２９の支持板部３９、３９で閉塞している状態で、ワイパ機構２８、２８を稼動させ、ワイパブレード３７、３７を板部２６ａ上から、フィルタフレーム２６の長手方向の一方、すなわち観音扉２２側に移動させる。ワイパブレード３７、３７を観音扉２２側に移動させるとフィルタ２７、２７上の塵埃４９が、観音扉２２側の傾斜フレーム３１、３１側に集められる。
【００４６】
ワイパブレード３７、３７が観音扉２２側に移動する際には、フィルタ支持機構２９の板状フェルト４３、４３がフィルタ２７、２７の裏面側を支持する。すなわち、フィルタ２７、２７は、ワイパブレード３７、３７と板状フェルト４３、４３とで挟持された状態となり、この状態でワイパブレード３７、３７が観音扉２２側に移動してフィルタ２７、２７上の塵埃４９を傾斜フレーム３１、３１側に集める。傾斜フレーム３１、３１側にフィルタ２７、２７上の塵埃４９を集めた後に、ワイパブレード３７、３７は、板部２６ａ、２６ａの元の位置に戻る。
【００４７】
ワイパブレード３７、３７が観音扉２２側に移動すると、フィルタ支持機構２９の板状フェルト４３、４３と支持板部３９、３９の板部４２、４２がフィルタ２７、２７の裏面側を閉塞した状態となる。このとき、排気室９内に流入した乾燥風は、フィルタ２７、２７を通過することはなく、補助フィルタ３５、３５を通過し、乾燥風循環口２３から乾燥風吸込口１６を通って供給部本体１２に流れる。このため、傾斜フレーム３１、３１側に集められた塵埃４９は、補助フィルタ３５、３５を通過しようとする乾燥風の流れによって塵埃蓄積部３６上に落下し、塵埃蓄積部３６に蓄積される。また、排気室９内に流入した乾燥風に含まれる塵埃４９は、補助フィルタ３５、３５によって捕捉される。
【００４８】
塵埃蓄積部３６に蓄積された塵埃４９の蓄積量は、観音扉２２に設けた窓２２ａから確認することができ、作業者はこの窓２２ａから塵埃４９の蓄積量を確認し、ある程度の塵埃４９が蓄積された時点で観音扉２２を開放して、塵埃蓄積部３６から塵埃４９を取り出す。したがって、乾燥風による被乾燥物７の乾燥処理を停止することなく、フィルタ２７、２７上から塵埃４９が除去される。なお、補助フィルタ３５、３５によって捕捉された塵埃４９は、観音扉２２側に位置しているので、観音扉２２を開放して作業者により取り除かれる。
【００４９】
以上説明したように、本実施の形態によれば、フィルタ支持機構２９によってフィルタ２７、２７の排気排出側が支持されているので、ワイパ機構２８、２８によってフィルタ２７、２７上の塵埃４９をフィルタ２７、２７の一側へ集める際に、フィルタ２７、２７が撓むことがない。また、フィルタ２７、２７はフィルタフレーム２６の捕捉面２５、２５に固定されているので、フィルタ２７、２７に凹み等の発生がない。これにより、フィルタ２７、２７が捕捉した塵埃４９をフィルタ２７、２７上から確実に取り除くことができる。
【００５０】
また、本実施の形態によれば、乾燥機１による被乾燥物７の乾燥運転中に、ワイパ機構２８、フィルタ支持機構２９によりフィルタ２７、２７上の塵埃４９を除去することができるので、フィルタ２７、２７上の塵埃４９を除去するフィルタ２７、２７の清掃時に乾燥機１の運転を停止することがない。これにより乾燥機１の稼動効率を向上させることができる。
【００５１】
また、本実施の形態によれば、ワイパ機構２８によりフィルタ２７、２７上の塵埃４９を、観音扉２２側へ集め、乾燥風の流れによって塵埃蓄積部３６に塵埃４９を蓄積するので、作業者が排気室９の奥まで体を入れてフィルタ２７、２７上の塵埃４９を奥方から集める作業が不要になり、フィルタ２７、２７の清掃作業が容易になる。
【００５２】
さらに、本実施の形態によれば、ワイパ機構２８によりフィルタ２７、２７上の塵埃４９を、観音扉２２側の塵埃蓄積部３６に集めるので、作業者は塵埃蓄積部３６に集められた塵埃４９の量を観音扉２２の窓２２ａから容易に確認することができる。これにより、作業者によるフィルタ２７、２７の清掃作業が容易になる。また、塵埃蓄積部３６が、観音扉２２側に設けられているので、塵埃４９を排気室９から容易に取り出すことができる。
【００５３】
なお、上記実施の形態では、フィルタフレーム２６を山形状に形成し、２面の捕捉面２５、２５を設けたが、これに限らず、捕捉面は一つでも良く、３面以上設けても良い。
【００５４】
また、上記実施の形態では、ワイパブレード３７、３７をそれぞれスライドさせるエアシリンダからなるワイパ駆動部をそれぞれ設けたが、一つのワイパ駆動によってワイパブレード３７、３７を可動させても良い。
【００５５】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００５６】
本発明に係る乾燥機１は、シーツ、枕カバー、タオル等のリネン製品やモップ、マット等以外に衣類等を乾燥させる乾燥機にも利用することができる。
【符号の説明】
【００５７】
１  乾燥機
４  リント機構
７  被乾燥物
９  排気室
２５  捕捉面
２６  フィルタフレーム
２８  ワイパ機構
２９  フィルタ支持機構
４９  塵埃
【図１】
2020014549.tif 000003
【図２】
2020014549.tif 000004
【図３】
2020014549.tif 000005
【図４】
2020014549.tif 000006
【図５】
2020014549.tif 000007